(57)【特許請求の範囲】
【請求項１】
駆動状態で発熱する電子部品を筐体に内蔵した携帯機器において、
前記筐体の表面温度を検出する温度検出手段と、
前記温度検出手段によって検出された表面温度、及び予め設定された人体に有害な危険温度を表示する表示手段と、
前記表面温度が前記危険温度以上か否かを判定する温度判定手段と、
前記温度判定手段によって前記表面温度が前記危険温度以上であると判定された際に警告を行う警告手段とを備えたことを特徴とする携帯機器。
【請求項２】
前記温度検出手段によって検出された表面温度を時系列で記憶する記憶手段と、
前記記憶手段に記憶された前記表面温度に基づいて、前記表面温度の時系列的な推移を示す温度グラフを生成するグラフ生成手段とを備え、
前記表示手段に前記温度グラフを表示することを特徴とする請求項１記載の携帯機器。
【請求項３】
前記記憶手段に記憶された前記表面温度に基づいて、前記表面温度が前記危険温度に達するまでの到達時間を予測する予測手段を備え、
前記予測手段が予測した到達時間を前記表示手段に表示することを特徴する請求項１または２記載の携帯機器。
【請求項４】
前記筐体の把持を検出する把持検出手段と、
前記警告手段によって行われる警告を禁止する警告禁止手段とを備え、
前記温度判定手段によって前記表面温度が前記危険温度以上であると判定された際に、前記把持検出手段によって前記筐体の把持が検出されていない場合には、前記警告禁止手段は、前記警告手段による警告を禁止することを特徴とする請求項１ないし３いずれか記載の携帯機器。
【発明の詳細な説明】
【技術分野】
【０００１】
本発明は、駆動状態で発熱する電子部品を筐体に内蔵した携帯機器に関するものである。
【背景技術】
【０００２】
近年、デジタルカメラ、携帯電話、ＰＤＡ（Personal Digital Assistance）、電子手帳などの携帯機器が普及している。例えば、携帯機器であるデジタルカメラは、ＣＣＤ等の撮像素子を用いて撮像した画像データをデジタルデータとしてメモリカード等の記憶媒体に記録する。デジタルカメラで画像を撮像すると、例えば、ＣＣＤで蓄電された電荷の転送などが原因となって、ＣＣＤやＣＣＤの駆動回路などが発熱する。これにより、デジタルカメラ内部の温度が上昇し、この温度上昇に伴って各種電子部品の誤動作や、性能の劣化が起こる。さらに、デジタルカメラ内部が高温になることで、デジタルカメラを構成するカメラボディ（筐体）の温度が高くなり、カメラボディの表面温度が人体に有害な危険温度まで上昇すると、カメラボディを長時間把持するユーザーが低温火傷を起こす恐れがある。
【０００３】
そのため、カメラの温度や環境温度を検出し、検出温度に基づいて警報を発生することが各種提案されている。例えば、特許文献１では、環境温度を検出する温度検出手段を備え、この温度検出手段によって検出された環境温度の変化に応じてユーザーへの警告、またはカメラを動作できない状態にしている。特許文献２では、カメラの温度を検出する温度センサを備え、温度センサから得られる検知温度の最大値と最小値とを記憶し、検出温度が所定温度より高い場合には警告を発する。特許文献３では、機器温度に応じてアラーム信号、シャットダウン信号を出力し、これらの信号に基づいてアラーム制御、シャットダウン制御を行う電源装置が提案されている。
【特許文献１】特開平５−３４７９５号公報
【特許文献２】特開平６−１７５１８５号公報
【特許文献３】２０００−１８４５８１号公報
【発明の開示】
【発明が解決しようとする課題】
【０００４】
しかしながら、特許文献１では、環境温度が許容使用温度領域外の場合、または急激な温度変化があった場合に警告を行っているが、カメラに設けられた電子部品からの発熱によるカメラ内部の温度変化に対してはなんら警告を行っていない。また、特許文献２では、温度検出センサによって検出された温度の最大値及び最小値を記録し、テストスイッチの操作によって温度の最高値及び最低値を確認できるが、最高値や最低値の温度の状態がどのくらい続いていたのかを知ることができない。特許文献３では、機器温度が正常な温度、アラーム段階の温度、またはシャットダウン段階の温度のいずれの段階に含まれているかを表示するが、検出された機器温度が具体的に表示されないので、ユーザーは機器温度を確認してアラーム段階またはシャットダウン段階となる前に機器温度の上昇を防ぐことができない。
【０００５】
本発明は、上記課題を解決するためになされたもので、電子部品の発熱によって変化する表面温度を表示するとともに、ユーザーに注意を促す携帯機器を提供することを目的とする。
【課題を解決するための手段】
【０００６】
上記課題を解決するために、本発明の携帯機器は、駆動状態で発熱する電子部品を筐体に内蔵した携帯機器において、前記筐体の表面温度を検出する温度検出手段と、前記温度検出手段によって検出された表面温度、及び予め設定された人体に有害な危険温度を表示する表示手段と、前記表面温度が前記危険温度以上か否かを判定する温度判定手段と、前記温度判定手段によって前記表面温度が前記危険温度以上であると判定された際に、警告を発する警告手段とを備えたものである。なお、危険温度としては、人体に有害な温度であり、例えば、カメラボディを約３時間把持していることで低温火傷が発生する温度である。
【０００７】
また、前記温度検出手段によって検出された表面温度を時系列で記憶する記憶手段と、前記記憶手段に記憶された表面温度に基づいて、前記表面温度の時系列的な推移を示す温度グラフを生成するグラフ生成手段とを備え、前記表示手段に前記温度グラフを表示するようにしてもよい。また、前記記憶手段に記憶された前記表面温度に基づいて、前記表面温度が前記危険温度に達するまでの到達時間を予測する予測手段を備え、前記予測手段が予測した到達時間を前記表示手段に表示するようにしてもよい。また前記筐体が把持されたことを検出して把持信号を出力する把持検出手段と、前記温度判定手段によって前記表面温度が前記危険温度以上であると判定された際に、前記把持検出手段から前記把持信号が出力されていない場合に、前記警告手段による警告を禁止する禁止手段とを備えてもよい。
【発明の効果】
【０００８】
本発明の携帯機器によれば、筐体の表面温度を検出する温度検出手段と、温度検出手段によって検出された表面温度、及び予め設定された人体に有害な危険温度を表示する表示手段と、表面温度が危険温度以上か否かを判定する温度判定手段と、温度判定手段によって表面温度が危険温度以上であると判定された際に、警告を発する警告手段とを備えたので、ユーザーは筐体の表面温度を確認し、携帯機器の状態に応じた使い方ができる。従って、ユーザーは筐体の表面温度が高温になることを注意しながら使用することができるので、低温火傷が発生することを予防できる。さらに、筐体内が高温になることによって電子部品の誤動作や、性能劣化が発生することを防止できる。
【０００９】
また、温度検出手段によって検出された表面温度を時系列で記憶する記憶手段と、記憶手段に記憶された表面温度に基づいて、表面温度の時系列的な推移を示す温度グラフを生成するグラフ生成手段とを備え、表示手段に温度グラフを表示するようにしたので、表面温度の時系列的な推移を容易に確認でき、ユーザーは筐体の表面温度が高温にならないように注意しながら使用することができる。また、記憶手段に記憶された表面温度に基づいて、表面温度が危険温度に達するまでの到達時間を予測する予測手段を備え、予測手段が予測した到達時間を表示手段に表示するようにしたので、ユーザーは到達時間を目安にし、筐体の表面温度が危険温度にならないように携帯機器を使用することができる。従って、低温火傷が発生するとなることや、高温となった電子部品の誤動作や性能劣化が発生することを防止できる。
【００１０】
また、筐体が把持されたことを検出して把持信号を出力する把持検出手段を備え、判定手段によって表面温度が危険温度以上であると判定された際に、把持検出手段から把持信号が出力されていない時には、警告手段による警告を禁止したので、低温火傷が発生する危険性がない場合には不要な警告を行わない。
【発明を実施するための最良の形態】
【００１１】
図１及び図２には、本発明を用いたデジタルカメラ２の構成を概略的に説明する外観図を示す。デジタルカメラ２の前面には、撮像レンズ１０を保持するレンズ鏡胴１１と、光学ファインダ１２と、スライド式の電源スイッチ１３とが設けられている。電源スイッチ１３は、筐体であるカメラボディ１６の一部とともにグリップ部１７を構成しており、撮影を行う際にはユーザーに把持される。
【００１２】
電源スイッチ１３は、左右にスライドさせることでデジタルカメラ２の電源のオン、オフを行う。電源スイッチ１３の内側で、かつ電源スイッチ１３の表面付近には、カメラボディ１６の表面温度を検出する温度検出手段である温度センサ２１が設けられている。温度センサ２１は、デジタルカメラ２の電源がオンとなると、所定の間隔でカメラボディ１６の表面温度を検出する。
【００１３】
また、デジタルカメラ２の上面には、レリーズボタン２５と、ポップアップ式のストロボ装置２６が設けられている。ストロボ装置２６は、カメラボディ１６内に収容される収納位置（図１参照）とカメラボディ１６から突出する突出位置の間で移動する。また、背面には、表示手段である液晶パネル２７（以下、ＬＣＤという）と操作部２８とが設けられている。
【００１４】
ＬＣＤ２７には、撮影した画像や撮影時のいわゆるスルー画像、及び各種のメニュー画面が表示される。さらに、詳しくは後述するが、ＬＣＤ２７には温度センサ２１によって検出されたカメラボディ１６の表面温度と後述する危険温度や、デジタルカメラ２の電源がオンされてから電源がオフされるまでの間に、所定の間隔で検出した表面温度の時系列的な推移を示す温度グラフなどが表示される。
【００１５】
操作部２８には、デジタルカメラ２の各種モードを切り替えるモードスイッチ２９と、望遠／広角を調整するズームボタン３０と、各種の選択に用いる十字ボタン３１、及び、デジタルカメラ２の各種の設定をＬＣＤ２７に表示させるメニューボタン３２や、ＬＣＤ２７の表示を切り換える表示切替ボタン３３が配されている。なお、操作部２８に配されるボタンやスイッチは、上記に限るものではない。
【００１６】
デジタルカメラ２はモードスイッチ２９の切り替えによって、静止画撮影を行う静止画撮影モード、動画撮影を行う動画撮影モード、撮影した画像をＬＣＤ２７に表示する再生モード、及び各種設定を行う設定モードが選択される。なお、動画撮影モードでは、動画の撮影とともに、図示しないマイクロホンを介して周囲の音声が収録される。また、再生モードで動画を再生する際には、ＬＣＤ２７に動画が表示されるとともにスピーカー６３（図３参照）からマイクロホンで収録された音声が発声される。
【００１７】
また、レリーズボタン２５は２段階押しのスイッチとなっている。ＬＣＤ２７による被写体のフレーミングの後に、このレリーズボタン２５を軽く押圧（半押し）すると、後述するＡＦ検出回路６１、およびＡＥ検出回路６２（図３参照）によって自動焦点調整（ＡＦ）、自動露光調整（ＡＥ）などの各種撮影準備処理が施される。この状態でレリーズボタン２５をさらに強く押圧（全押し）すると、撮影準備処理が施された１画面分の撮像信号が画像データに変換された後、後述する画像処理および圧縮処理が施され、メモリカード５７（図３参照）に記録される。
【００１８】
デジタルカメラ２の電気的構成を示す図３において、撮像レンズ１０には、レンズモータ３５が接続されている。また、絞り３６には、アイリスモータ３７が接続されている。これらのモータ３５，３７はステッピングモータからなり、ＣＰＵ３８に接続されたモータドライバ４０、４１から送信される駆動パルスにより動作制御され、レリーズボタン２５の半押しに伴う撮影準備処理を行う。
【００１９】
レンズモータ３５は、ズーム操作ボタン３０の操作に連動して、撮像レンズ１０のズームレンズをワイド側、あるいはテレ側に移動させる。また、被写体距離やズームレンズの変倍に応じて撮像レンズ１０のフォーカスレンズを移動させ、撮影条件が最適となるように焦点調整を行う。アイリスモータ３７は、絞り３６を動作させ、露出調整を行う。
【００２０】
撮像レンズ１０の背後には、撮像レンズ１０を透過した被写体光が撮像されるＣＣＤ４２が配置されている。ＣＣＤ４２には、ＣＰＵ３８によって制御されるタイミングジェネレータ（ＴＧ）４３が接続され、このＴＧ４３から入力されるタイミング信号（クロックパルス）により、電子シャッタのシャッタ速度が決定される。
【００２１】
ＣＣＤ４２から出力された撮像信号は、相関二重サンプリング回路（ＣＤＳ）４５に入力され、ＣＣＤ４２の各セルの蓄積電荷量に正確に対応したＲ、Ｇ、Ｂの画像データとして出力される。ＣＤＳ４５から出力された画像データは、増幅器（ＡＭＰ）４６で増幅され、Ａ／Ｄ変換器（Ａ／Ｄ）４７でデジタルの画像データに変換される。
【００２２】
画像入力コントローラ４８は、バス５０を介してＣＰＵ３８に接続され、ＣＰＵ３８の制御命令に応じてＣＣＤ４２、ＣＤＳ４５、ＡＭＰ４６、およびＡ／Ｄ４７を制御する。Ａ／Ｄ４７から出力された画像データは、ＳＤＲＡＭ５１に一旦格納され、ＬＣＤドライバ５２を介してＬＣＤ２７に表示される。
【００２３】
画像信号処理回路５３は、ＳＤＲＡＭ５１から画像データを読み出して、階調変換、ホワイトバランス補正、γ補正処理などの各種画像処理を施し、この画像データを再度ＳＤＲＡＭ５１に格納する。ＹＣ変換処理回路５４は、画像信号処理回路５３で各種処理を施された画像データをＳＤＲＡＭ５１から読み出し、輝度信号Ｙと色差信号Ｃｒ、Ｃｂとに変換する。圧縮伸長処理回路５５は、この変換された画像データに対して、所定の圧縮形式（例えばＪＰＥＧ形式）で画像圧縮を施す。圧縮された画像データは、メディアコントローラ５６を経由してメモリカード５７に記録される。
【００２４】
ＣＰＵ３８には、前述のレリーズボタン２５、操作部２８の他に、ＥＥＰＲＯＭ６０が接続されている。ＥＥＰＲＯＭ６０には、各種制御用のプログラムや設定情報、予め設定された危険温度のデータなどが記録されている。この危険温度とは、カメラボディ１６に内蔵されたＣＣＤ４２などが駆動状態で発熱することにより、カメラボディ１６の表面温度が上昇した時に、ユーザーがカメラボディ１６を長時間（約３時間以上）把持することで低温火傷が発生する可能性のある温度である。また、カメラボディ１６の表面温度が危険温度に達すると、カメラボディ１６内の温度もかなりの高温となるので、カメラボディ１６に内蔵された各種電子部品の誤動作や、性能劣化が発生する可能性が高い。本実施形態では、危険温度を４５℃に設定し、カメラボディ１６の表面温度と比較しているが、危険温度としてはこれに限るものではない。ＣＰＵ３８は、上記の情報をＥＥＰＲＯＭ６０から読み出して各種処理を実行する。また、ＥＥＰＲＯＭ６０には、後述する温度センサ２１によって検出されたカメラボディ１６の表面温度データを時系列で記憶する。
【００２５】
バス５０には、露出量、すなわち電子シャッタのシャッタ速度、および絞り３６の絞り値が撮影に適切か否かを検出するとともに、ホワイトバランスが撮影に適切か否かを検出するＡＥ／ＡＷＢ検出回路６２と、撮像レンズ１０の焦点調整が撮影に適切か否かを検出するＡＦ検出回路６１と、ストロボ装置２６の動作を制御するストロボ制御回路６４と、カメラボディ１６の表面温度を検出する温度センサ２１と、音声や警告音を発声するスピーカー６３が接続されている。
【００２６】
ＡＦ検出回路６１およびＡＥ／ＡＷＢ検出回路６２は、レリーズボタン２５の半押し時に、バス５０を介してＣＰＵ３８に検出結果を逐次送信する。ＣＰＵ３８は、これらの検出回路６１、６２から送信される検出結果に基づいて、撮像レンズ１０、絞り３６、およびＣＣＤ４２の動作を制御する。
【００２７】
温度センサ２１は、デジタルカメラ２の電源がオンとなるとカメラボディ１６の表面温度を所定の間隔で検出する。温度センサ２１で検出された表面温度データは、ＣＰＵ３８を介して、記憶手段であるＥＥＰＲＯＭ６０に時系列で記憶される。この表面温度の検出は、電源がオフになるまで連続して行われる。
【００２８】
スピーカー６３は、再生モードにおいて動画を撮影する際に、収録された音声を発声する。さらに、カメラボディ１６の表面温度が危険温度以上となった場合には、ＣＰＵ３８からの指示により警告手段としてユーザーに対して警告音を発声する。
【００２９】
ＣＰＵ３８には、判定部７１、グラフ生成部７２、予測部７３が設けられている。判定部７１は、温度センサ２１によって表面温度が検出される毎に、表面温度が危険温度以上であるか否かを判定する。この判定部７１によって表面温度が危険温度以上であると判定された場合には、判定部７１はＣＰＵ３８に警告信号を出力する。これにより、ＣＰＵ３８は、判定部７１からの警告信号に基づいてＬＣＤ２７に、例えば「カメラの温度が上昇しています。操作を終了して下さい。」というデジタルカメラ２の使用の中止を促す警告表示を行う（図５参照）とともに、スピーカー６３から警告音を発声させる。また、表面温度が危険温度以上ではないと判定された場合、つまり表面温度が危険温度より低いと判定された場合には、ＣＰＵ３８はＬＣＤ２７に表面温度と危険温度を表示する。
【００３０】
グラフ生成部７２は、デジタルカメラ２の電源がオンされてからＥＥＰＲＯＭ６０に時系列で記憶された表面温度データに基づいて、表面温度の時系列的な推移を示す温度グラフを生成する。図４に示すように、ＬＣＤ２７に表示される温度グラフ７４は、横軸には時間が、縦軸には温度が設けられている。なお、縦軸に記された４５℃は、予め設定された危険温度である。
【００３１】
予測部７３は、判定部７１によって表面温度が危険温度以上でないと判定された際に、ＥＥＰＲＯＭ６０に記憶された表面温度データと電源がオンされてからの経過時間とに基づいて、表面温度が危険温度に達するまでの到達時間を予測する。この予測結果は、ＣＰＵ４３およびグラフ生成部７２に入力される。グラフ生成部７２は、図４に示すように、温度グラフ７４に表面温度が危険温度まで上昇することを予測した予測線（図中二点鎖線）を表示する。さらに、ＣＰＵ４３は、例えば「危険温度への到達時間は、あと１０分です。」というように予測した到達時間を知らせる予測表示を行う。
【００３２】
次に、上記実施形態の作用について図６に示すフローチャートを用いて説明する。デジタルカメラ２の電源スイッチ１３がスライドされて電源がオンとなると、デジタルカメラ２が駆動状態となる。これにより、温度センサ２１によるカメラボディ１６の表面温度の検出が所定の間隔で行われる。検出された表面温度は、ＥＥＰＲＯＭ６０に時系列に記憶されるとともに、判定部７１によって表面温度が危険温度以上であるか否かの判定が行われる。さらに、ＥＥＰＲＯＭ６０に時系列で記憶された表面温度データに基づいて、温度グラフ７４が生成される。
【００３３】
判定部７１によって表面温度が危険温度以上でないと判定された場合、つまり、表面温度が危険温度より低い場合には、検出された表面温度と電源オンからの経過時間に基づいて、表面温度が危険温度に達するまでの到達時間の予測が行われる。そして、ＬＣＤ２７には、図４に示すように、検出された表面温度と、危険温度と、温度グラフ７４と、予測情報からなる第１報知画像７５を一定時間表示する。この時、温度グラフ７４には、表面温度が危険温度まで上昇することを予測した予測線（図中二点鎖線参照）が表示されている。
【００３４】
また、判定部７１によって表面温度が危険温度以上であると判定された際には、ＬＣＤ２７には、図５に示すように、検出された表面温度、危険温度、温度グラフ７４、警告情報からなる第２報知画像７６を一定時間表示するとともに、スピーカー６３から警告音を発声させる。これにより、ユーザーは現在のカメラボディ１６の表面温度を確認して、デジタルカメラ２の状態確認することができるので、低温火傷になることを予防することができる。さらに、カメラボディ１６に内蔵された電子部品の誤作動や、性能の劣化も防止することができる。また、表面温度が危険温度に達していなくても、表面温度の時系列的な推移を示す温度グラフ７４で表面温度の状況を確認することができるので、デジタルカメラ２の電源のオン、オフを意識的に行うことで、表面温度が危険温度まで上昇することを防止することができる。
【００３５】
なお、温度センサ２１によって所定の間隔で表面温度が検出される毎に、検出された表面温度に基づいて第１報知画像７５または第２報知画像７６をＬＣＤ２７に表示したが、これに限らず、ユーザーが表示切替ボタン３３を操作することで、ＬＣＤ２７にスルー画像または撮影画像に切り替えて第１または第２報知画像７５、７６を表示するようにしてもよい。また、第１または第２報知画像７５、７６が表示されている際に、レリーズボタン２５やズームボタン３０などの各種操作ボタンが操作された場合には、ＬＣＤ２７に表示されている報知画像７５，７６は強制的にスルー画像または撮影画像に切り替えるようにしてもよい。これにより、撮影時や再生時に報知画像７５，７６が表示されることで操作に支障をきたすことがなくなる。
【００３６】
また、上記実施形態のデジタルカメラ２にユーザーがグリップ部１７を把持していることを検出するグリップセンサを設けてもよい。この場合は、グリップセンサによってグリップ部１７が把持されていることが検出され、かつ表面温度が危険温度以上であると判定された場合にＬＣＤ２７に警告情報を表示し、スピーカー６３から警告音を発声させるようにしてもよい。なお、上記実施形態と同一の構成部材は同じ符号を付してその説明を省略する。
【００３７】
図７に示すように、デジタルカメラ２のグリップ部１７には把持手段であるグリップセンサ７８が設けられている。グリップセンサ７８は、例えば、電源スイッチ１３の表面に離隔して配置される二本の導電性を有する金属板８０，８１から構成されている。グリップセンサ７８はユーザーがグリップ部１７を把持することによって、指が金属板の双方に接触した場合に生じる指内の導通を利用して電圧などの変化を検知する。これにより、グリップセンサ７８は、ユーザーの指と金属板８０，８１が接触した状態の時に、ＣＰＵ３８に検出信号を入力する。また、指が金属板８０、８１に接触していない状態では、検出信号の出力は行われない。
【００３８】
図７に示すように、デジタルカメラ２の電源がオンされると、温度センサ２１によってカメラボディ１６の表面温度の検出が行われる。検出された表面温度はＥＥＰＲＯＭ６０に記憶され、判定部７１によって表面温度が危険温度以上であるか否かの判定を行う。この時、表面温度が危険温度より低いと判定され、かつＣＰＵ３８にグリップセンサ７８から検出信号が入力されている場合には、予側部７３で検出された表面温度に基づいて危険温度まで上昇する到達時間の予測が行われた後、ＣＰＵ３８はＬＣＤ２７に第１報知画像７５を表示させる（図４参照）。また、表面温度が危険温度以上であると判定され、ＣＰＵ３８にグリップセンサ７８から検出信号が入力されている場合には、ＣＰＵ３８はＬＣＤ２７に第２報知画像７６を表示させ（図５参照）、スピーカー６３からは警告音を発声させる。
【００３９】
また、例えば、セルフタイマー撮影などを行う場合に、グリップセンサ７８から検出信号がＣＰＵ２７に入力されない場合では、判定部７１によって表面温度と危険温度との判定が行われても、禁止手段であるＣＰＵ３８は第１または第２報知画像７５，７６の表示を中止させる。つまり、ユーザーがグリップ部１７を把持していない場合では、低温火傷が発生する危険性がない場合には警告を行わずに撮影を行うことができる。なお、本発明を、有線や無線によるリモコン操作によって撮影を行う遠隔撮影機能を備えたデジタルカメラに適用してもよい。また、グリップ部１７に設けたグリップセンサ７８としては、これに限らず、ユーザーがグリップ部１７を把持していることが検出できるセンサであればよい。
【００４０】
なお、上記実施形態では、表面温度が危険温度以上であると判定された場合に、ＬＣＤ２７に第２報知画像７６を表示するとともに、スピーカー６３から警告音を発声させたが、これに限らず、警告用のライトを設けて、このライトを点滅、点灯させることで警告を行っても良い。また、表面温度が危険温度以上と判定された場合に、第２報知画像７６の表示、警告音の発声、ライトの点滅などを個別に設けたり、適宜に組み合わせたりして警告を行ってもよい。
【００４１】
また、充電電池をデジタルカメラ２に装填した状態で充電を行う際に、温度センサ２１によって異常な温度上昇を検出した場合は、スピーカー６３から警告音を発してもよい。また、デジタルカメラ２で動画撮影中に検出された表面温度が危険温度以上であると判定された際には、第２報知画像７６を表示させずに、スピーカー６３からの警告音によって警告を行ってもよい。
【００４２】
また、本発明のデジタルカメラ２には、グラフ生成部７２及び予側部７３を設け、ＬＣＤ２７に表示させる第１報知画像７５、第２報知画像７６には、表面温度、危険温度、温度グラフや、予測情報（到達時間）や警告情報を表示したが、これに限らず、グラフ生成部７２や予側部７３は適宜に設けて、ＬＣＤ２７に温度グラフや予測情報を表示するようにしてもよい。
【００４３】
また、本実施形態ではデジタルカメラを例に挙げて説明したが、これに限らず、携帯機器としては、携帯電話器や、携帯テレビ、ＰＤＡ、電子手帳、ノートパソコン、腕時計などのユーザーが携帯して使用する電子機器に本発明を適用してもよい。
【図面の簡単な説明】
【００４４】
【図１】本発明を用いたデジタルカメラの構成を説明する外観斜視図である。
【図２】デジタルカメラの背面の構成を示す平面図である。
【図３】デジタルカメラの電気的構成を示すブロック図である。
【図４】ＬＣＤに表示される第１温度確認画像を示す説明図である。
【図５】ＬＣＤに表示される第２温度確認画像を示す説明図である。
【図６】デジタルカメラで警告表示を行う流れを示すフローチャートである。
【図７】フリップセンサを備えたデジタルカメラを示す外観斜視図である。
【図８】グリップセンサを備えたデジタルカメラで警告表示を行う流れを示すフローチャートである。
【符号の説明】
【００４５】
２  デジタルカメラ
１６  カメラボディ
１７  グリップ部
２１  温度センサ
２７  液晶パネル（ＬＣＤ）
３８  ＣＰＵ
６０  ＥＥＰＲＯＭ
６３  スピーカー
７１  判定部
７２  グラフ生成部
７３  予側部
７４  温度グラフ
７５  グリップセンサ
【図１】
0004476907.tif 000002
【図２】
0004476907.tif 000003
【図３】
0004476907.tif 000004
【図４】
0004476907.tif 000005
【図５】
0004476907.tif 000006
【図６】
0004476907.tif 000007
【図７】
0004476907.tif 000008
【図８】
0004476907.tif 000009